(57)【要約】【課題】簡単かつ安価に製作することができ、しかも、丈夫で十分な釣果を期待できる鮎友釣用掛針を提供する。【解決手段】釣針本体１２と、釣針本体１２の軸部１２ａに沿って形成されたハリス係止部１４とを有する鮎友釣用掛針１０であって、ハリス係止部１４は、軸部１２ａの外周面に糸２０を巻回することにより形成された釣針本体取付部１４ａと、釣針本体取付部１４ａの周囲にフトコロ部１２ｂの反対側である軸部１２ａの背１２ｅ側にハリス挿通用孔１４ｃを空けた状態で糸２０を巻回することにより形成された筒状のハリス挿通部１４ｂとを有しており、ハリス係止部１４と軸部１２ａとが接着剤により固着されている。【選択図】図１
2017189118.tif 000002
【特許請求の範囲】
【請求項１】
釣針本体と、前記釣針本体の軸部に沿って形成されたハリス係止部とを有する鮎友釣用掛針であって、
前記ハリス係止部は、前記軸部の外周面に糸を巻回することにより形成された釣針本体取付部と、
前記釣針本体取付部の周囲にフトコロ部の反対側である軸部の背側にハリス挿通用孔を空けた状態で糸を巻回することにより形成された筒状のハリス挿通部とを有しており、
前記ハリス係止部と前記軸部とが接着剤により固着されていることを特徴とする鮎友釣用掛針。
【請求項２】
２本の釣針本体と、前記２本の釣針本体の軸部に沿って形成されたハリス係止部とを有する鮎友釣用掛針であって、
前記２本の釣針本体は、チモトが同じ方向を向くように軸部同士が束ねられており、隣り合う釣針本体のフトコロ部の間が所定の角度開いて配設されており、
前記ハリス係止部は、前記２本の軸部の束の周囲に糸を巻回することにより形成された釣針本体取付部と、
前記釣針本体取付部の周囲にフトコロ部の反対側である２本の軸部の束の背側にハリス挿通用孔を空けた状態で糸を巻回することにより形成された筒状のハリス挿通部とを有しており、
前記ハリス係止部と前記軸部の束とが接着剤により固着されていることを特徴とする鮎友釣用掛針。
【発明の詳細な説明】
【技術分野】
【０００１】
本発明は、鮎の友釣に使用する鮎友釣用掛針の改良に関する。
【背景技術】
【０００２】
鮎の友釣に使用される鮎友釣用掛針の一例として特許文献１が知られている。この従来の鮎友釣用掛針は、ハリス挿通用の環部を有する金属製の糸係止具を掛針の軸部に沿わせ、溶接などの固定手段によって糸係止具を軸部に固定することにより形成される。
【０００３】
従来の鮎友釣用掛針によれば、糸係止具の環部にハリスを挿通し、環部の両端に結び目を設けることによって鮎友釣用掛針をハリスに回動自在の状態で取り付けることができるので、水中に流したハリスに対して鮎友釣用掛針の針先がその自重によって常時下方を向くこととなり、野鮎を確実に引っ掛けることができる。
【先行技術文献】
【特許文献】
【０００４】
【特許文献１】実開平５−３４８６９号公報（第３頁、図１）
【発明の概要】
【発明が解決しようとする課題】
【０００５】
従来の鮎友釣用掛針は、上述したように糸係止具を掛針の軸部に溶接することにより形成されるが、小さな糸係止具を掛針の細い軸部に溶接するのは大変な集中力と根気の要る作業であるし、溶接が不十分な場合には、野鮎が引っ掛かったときの衝撃等により糸係止具が軸部から外れてしまうといった問題がある。
【０００６】
また、金属製の糸係止具は重量があるため、鮎友釣用掛針を水中で泳がせようとしてもすぐに沈んでしまい、野鮎が引っ掛かり難い（釣果が低下する）という問題があるし、金属製の糸係止具は材料費が嵩み、製作コストがかかるという問題もある。
【０００７】
さらに、従来の金属製の糸係止具を使用する際には、上述したように糸係止具の環部にハリスを挿通し、環部の両端に結び目を設けることによって鮎友釣用掛針がハリスに回動自在の状態に取り付けられる。ここで、鮎友釣用掛針に野鮎が引っ掛かると、鮎友釣用針は野鮎の動きに合わせてハリスに衝撃的な張力が掛かり、硬質材である金属製の環部と軟質材である樹脂製のハリスとが強く擦り合わされ、この時にハリスに傷が発生してハリスが衝撃的に切れるおそれもある。
【０００８】
本願発明は、かかる従来の問題に鑑みてなされたもので、簡単かつ安価に製作することができ、しかも軽量且つ丈夫で十分な釣果を期待でき、さらには野鮎が引っ掛かったときにハリスが切れるおそれのない鮎友釣用掛針を提供することを課題とする。
【課題を解決するための手段】
【０００９】
請求項１に記載した発明は、従来の糸係止具に相当するハリス係止部１４，１４’を糸２０と接着剤を使用して形成したもので、「釣針本体１２と、釣針本体１２の軸部１２ａに沿って形成されたハリス係止部１４，１４’とを有する鮎友釣用掛針１０，１０’であって、ハリス係止部１４，１４’は、軸部１２ａの外周面に糸２０を巻回することにより形成された釣針本体取付部１４ａと、釣針本体取付部１４ａの周囲にフトコロ部１２ｂの反対側である軸部１２ａの背１２ｅ側にハリス挿通用孔１４ｃを空けた状態で糸２０を巻回することにより形成された筒状のハリス挿通部１４ｂ，１４ｂ’とを有しており、ハリス係止部１４，１４’と軸部１２ａとが接着剤により固着されている」ことを特徴とする鮎友釣用掛針１０，１０’である。
【００１０】
請求項２に記載した発明は、釣針本体１２を２本用いた場合で「２本の釣針本体１２と、２本の釣針本体１２の軸部１２ａに沿って形成されたハリス係止部４２とを有する鮎友釣用掛針４０であって、２本の釣針本体１２は、チモト１２ｄが同じ方向を向くように軸部１２ａ同士が束ねられており、隣り合う釣針本体１２，１２のフトコロ部１２ｂ，１２ｂの間が所定の角度開いて配設されており、ハリス係止部４２は、２本の軸部１２ａの束４４の周囲に糸２０を巻回することにより形成された釣針本体取付部４２ａと、釣針本体取付部４２ａの周囲にフトコロ部１２ｂの反対側である２本の軸部１２ａの束４４の背４４ａ側にハリス挿通用孔４２ｃを空けた状態で糸２０を巻回することにより形成された筒状のハリス挿通部４２ｂとを有しており、ハリス係止部４２と軸部１２ａの束４４とが接着剤により固着されている」ことを特徴とする鮎友釣用掛針４０である。
【発明の効果】
【００１１】
請求項１および２に記載の発明によれば、軸部１２ａ，軸部１２ａの束４４の周囲に糸２０を巻回するだけでハリスＨへの取り付け部分であるハリス係止部１４，１４’，４２を簡単かつ安価に製作することができる。
【００１２】
ここで、ハリス係止部１４，１４’，４２のうち、釣針本体取付部１４ａ，４２ａは、軸部１２ａ，２本の軸部１２ａの束４４の周囲に糸２０を密に巻回することにより軸部１２ａ，２本の軸部１２ａの束４４と一体化されているので、軸部１２ａ，２本の軸部１２ａの束４４と糸２０とは異種部材であるにも関わらず、接着剤による固着とも相俟って外れるようなことはない。また、釣針本体取付部１４ａ，４２ａとハリス挿通部１４ｂ，１４ｂ’，４２ｂとは同じ糸２０により形成されているので、接着剤による面接着であっても外れるようなことはなく非常に丈夫である。
【００１３】
また、ハリス係止部１４，１４’，４２は、その全体が軽量な糸２０により形成されているので、水中で泳がせたときに簡単に沈むようなことはなく、十分な釣果を期待できる。
【００１４】
さらに、ハリス係止部１４，１４’，４２は、その全体が糸２０を巻回することによって形成されており、ハリス係止部１４，４２と軸部１２ａ，２本の軸部１２ａの束４４との固着に使用される接着剤は樹脂製であることから、ある程度柔軟性がある。したがって、野鮎が引っ掛かってハリス係止部１４，１４’，４２がハリスＨの結び目Ｐに強く衝突し、ハリスＨに衝撃的な張力が掛かった場合であっても、ハリス係止部１４，４２は隣接する糸２０同士が互いにズレて変形し、その衝撃を柔らかく受け止めることができる。しかも、ハリス係止部１４，１４’，４２は、ハリスＨと同質の材料、すなわち、軟質材である樹脂によってその全体が形成されているので、野鮎が引っ掛かったときにハリス係止部１４，１４’，４２とハリスＨとが強く擦り合わされたとしても、ハリスＨに傷が発生して切れることもない。
【図面の簡単な説明】
【００１５】
【図１】この発明の一実施例の鮎友釣用掛針を示す図である。
【図２】鮎友釣用掛針の左側面図である。
【図３】下巻を行っている様子を示す図である。
【図４】本巻を行っている様子を示す図である。
【図５】鮎友釣用掛針の使用状態を示す図である。
【図６】図１実施例の変形例である。
【図７】本発明の第２実施例の鮎友釣用掛針（２本錨）を示す図である。
【発明を実施するための形態】
【００１６】
以下、本発明を図面に従って説明する。図１は、本発明にかかる第１実施例の鮎友釣用掛針１０を示す正面図であり、図２は、その左側面図である。
【００１７】
これらの図が示すように、本発明の鮎友釣用掛針１０は、釣針本体１２とハリス係止部１４とで大略構成されている。
【００１８】
釣針本体１２は、金属製の線材を屈曲形成したもので、直線部分である軸部１２ａと、軸部１２ａから延設されフック状に湾曲した部分であるフトコロ部１２ｂとを有し、フトコロ部１２ｂの先端には、その先端が鋭利に尖った鈎先１２ｃが形成されている。軸部１２ａのうち、フトコロ部１２ｂが形成されていない側の端部はチモト１２ｄである。チモト１２ｄには、何ら加工が施されておらず、いわゆる「切りっぱなし」の状態となっている。
【００１９】
ハリス係止部１４は、釣針本体取付部１４ａとハリス挿通部１４ｂとを有する。
【００２０】
釣針本体取付部１４ａは、釣針本体１２の軸部１２ａに糸２０を巻回することによって形成された筒状のもので、その内周面全面が軸部１２ａの外周面と隙間なく密着しており、接着剤によって軸部１２ａと固着されている。本実施例では、釣針本体取付部１４ａが軸部１２ａの全長に亘って形成されているが、必ずしも軸部１２ａと同じ長さにする必要はなく、例えば軸部１２ａの半分の長さにするといった具合に任意の長さとしてもよい。
【００２１】
糸２０の材質は特に限定されるものではないが、軽量で巻きつけ時の締まりが良く（適度な伸度・弾力性がある）、耐久性に富み、線径が細く樹脂製であるといった性質を有するものが好ましく、本実施例では、ナイロン製或いはポリエステル製の根巻糸が使用されている。
【００２２】
そして、この釣針本体取付部１４ａを覆うように釣針本体取付部１４ａの外面に形成された筒状部分がハリス挿通部１４ｂである。
【００２３】
ハリス挿通部１４ｂは、糸２０を釣針本体取付部１４ａの周囲に巻回することによって形成された釣針本体取付部１４ａよりも大径の筒状部材で、釣針本体取付部１４ａとは、そのフトコロ部１２ｂ側において接着剤により面接着されている。
【００２４】
釣針本体取付部１４ａのフトコロ部１２ｂとは反対側（軸部１２ａの背１２ｅ側）には、その軸方向全長に亘って隙間（孔）が設けられており、この中空の孔がハリス挿通用孔１４ｃである。ハリス挿通用孔１４ｃの内径は、使用するハリスＨの外径よりもやや大きめに設定されている。
【００２５】
また、釣針本体取付部１４ａの背１４ｄ側であってハリス挿通部１４ｂとの境界部分Ｘには、後述するように、接着剤が固化することによって出来た固着部１６が形成されている（図２の円内参照。ここでは、分かりやすくするために固着部１６を誇張して描いてある）。
【００２６】
なお、ハリス係止部１４は、後述するように、その全体に接着剤が浸み込んで一体化されている。
【００２７】
次に、鮎友釣用掛針１０の製造方法について説明する。まず、図３に示すように、釣針本体１２の軸部１２ａの周囲に糸２０をフトコロ部１２ｂ側からチモト１２ｄ側へ向けてテンションをかけつつ隙間なく順に密に巻回して下巻を行う。なお、下巻きを終えた後、軸部１２ａの周囲に糸２０によって形成された筒状部分が釣針本体取付部１４ａである。
【００２８】
下巻が済むと、図４に示すように、釣針本体取付部１４ａの背１４ｄ側（フトコロ部１２ｂ側とは反対側）にハリスＨよりも太い線材３０を沿わせ、釣針本体取付部１４ａと線材３０との一体物の周囲に、糸２０を先ほどとは反対にチモト１２ｄ側からフトコロ部１２ｂ側へ向けて隙間なく順に密に巻回して本巻を行う。なお、線材３０の材質としては、金属などの硬質材料を利用できるが、例えばテフロン（登録商標）のように糸２０との間の摩擦係数が小さなもの（滑り性が高いもの）を使用すれば、後述する線材３０の抜き取り作業が容易になるという利点がある。
【００２９】
糸２０をフトコロ部１２ｂ側まで巻回して本巻が完了すると、図４の破線で示すように糸２０を釣針本体１２と線材３０との間の隙間に引っ掛けて尻掛けを行い、糸２０を仮止めする。本巻を終えた後の釣針本体取付部１４ａの周囲に糸２０によって形成された筒状部分がハリス挿通部１４ｂである。
【００３０】
本巻を終えて糸２０を仮止めした後、ハリス挿通部１４ｂの表面全体に接着剤（ここでは、瞬間接着剤が使用される）を塗布し、接着剤をハリス係止部１４全体に浸み込ませると同時に、釣針本体取付部１４ａ、ハリス挿通部１４ｂならびに線材３０の間の隙間（図２円内の斜線で示した箇所）を接着剤で充填する。
【００３１】
そして、ハリス係止部１４全体に浸み込ませた接着剤を硬化させることによってハリス係止部１４と軸部１２ａとの固着を行う。このようにして接着剤を硬化させた後、線材３０をハリス挿通部１４ｂから引き抜くことにより鮎友釣用掛針１０が完成する。
【００３２】
なお、線材３０を引き抜いた後のハリス挿通部１４ｂと釣針本体取付部１４ａとの一体物がハリス係止部１４となる。ハリス係止部１４は、その全体が接着剤によって一体化されている。また、線材３０が位置していた部分は空洞（孔）となり、この孔がハリス挿通用孔１４ｃとして機能することとなる。さらに、釣針本体取付部１４ａの背１４ｄ側であってハリス挿通部１４ｂとの境界部分Ｘには、釣針本体取付部１４ａ、ハリス挿通部１４ｂならびに線材３０の間の隙間に充填された接着剤が固化することによって出来た固着部１６が形成されている。
【００３３】
以上のようにして形成された鮎友釣用掛針１０を使用する際には、図５に示すようにハリス挿通用孔１４ｃにハリスＨを挿通し、鮎友釣用掛針１０の前後に結び目Ｐをそれぞれ形成することにより鮎友釣用掛針１０のハリスＨへの取り付けが完了する。
【００３４】
本実施例の鮎友釣用掛針１０によれば、軸部１２ａの周囲に糸２０を巻回するだけでハリスＨへの取り付け部分であるハリス係止部１４を安価かつ簡単に製作することができる。
【００３５】
ここで、ハリス係止部１４のうち、釣針本体取付部１４ａは、軸部１２ａの周囲に糸２０を密に巻回することにより軸部１２ａと一体化されているので、軸部１２ａと糸２０とが異種材料であるにも関わらず、接着剤による固着とも相俟って外れるようなことはない。一方、釣針本体取付部１４ａとハリス挿通部１４ｂとは同じ糸２０により形成されているので、釣針本体取付部１４ａの背１４ｄ側であってハリス挿通部１４ｂとの境界部分Ｘに形成された固着部１６の存在とも相俟って接着剤による面接着であっても外れるようなことはないため、非常に丈夫な鮎友釣用掛針１０を提供できる。
【００３６】
また、ハリス係止部１４は、その全体が糸２０で形成されており、ハリス係止部１４と軸部１２ａとの固着に使用される接着剤は樹脂製であることから、ある程度柔軟性がある。したがって、野鮎が引っ掛かってハリス係止部１４がハリスＨの結び目Ｐに強く衝突し、ハリスＨに衝撃的な張力が掛かった場合であっても、ハリス係止部１４は、隣接する糸２０同士が互いにズレて変形してその衝撃を柔らかく受け止めることができる。しかも、ハリス係止部１４は、ハリスＨと同質の材料、すなわち、軟質材である樹脂によってその全体が形成されているので、野鮎が引っ掛かり、ハリス係止部１４とハリスＨとが強く擦り合わされたとしても、ハリスＨに傷が発生して切れることもない。
【００３７】
さらに、ハリス係止部１４は、その全体が軽量な糸２０により形成されているので、鮎友釣用掛針１０を水中で泳がせたときに簡単に沈むようなことはなく、十分な釣果を期待できる。
【００３８】
なお、上述実施例では、ハリス挿通部１４ｂを釣針本体取付部１４ａの全長に亘って形成するようにしたが、例えば、図６に示す鮎友釣用掛針１０’のように、釣針本体取付部１４ａの前後両側端部にハリス挿通部１４ｂ’をそれぞれ形成するといった具合に部分的に形成してもよく、これにより、鮎友釣用掛針１０’のさらなる軽量化を図ることができる。
【００３９】
また、上述実施例では、釣針本体１２を１本だけ用いた「１本鈎」の例について説明したが、釣針本体１２を２本用いるようにしてもよく、この場合は、錨型の鮎友釣用掛針を作ることが可能となる。
【００４０】
２本鈎の鮎友釣用掛針４０は、図７に示すように、２本の釣針本体１２とハリス係止部４２とで構成されている。
【００４１】
２本の釣針本体１２は、チモト１２ｄ側が同じ方向を向くように軸部１２ａ同士が束ねられており、隣り合う釣針本体１２，１２のフトコロ部１２ｂ，１２ｂ間の角度（開き角度）θは、約９０度に設定されている。
【００４２】
ハリス係止部４２は、釣針本体取付部４２ａとハリス挿通部４２ｂとを有する。釣針本体取付部４２ａは、２本の軸部１２ａの束４４と密着するように取り付けられた筒状部分である。
【００４３】
ハリス挿通部４２ｂは、釣針本体取付部４２ａを覆うように設けられており、釣針本体取付部４２ａとは、そのフトコロ部１２ｂ側において面接触している。一方、釣針本体取付部４２ａの背４２ｄ側（フトコロ部１２ｂとは反対側）には、ハリス挿通用孔４２ｃがその全長に亘って設けられている。
【００４４】
鮎友釣用掛針４０を製作する際には、まず、２本の釣針本体１２の軸部１２ａ同士を、チモト１２ｄが同じ方向を向くように束ね、軸部１２ａの束４４の周囲に糸２０をフトコロ部１２ｂ側からチモト１２ｄ側へ向けて密に巻回して下巻を行い、釣針本体取付部４２ａを形成する。下巻が完了すると、糸２０を軸部１２ａと軸部１２ａとの間に通して尻掛を行い、仮止めする。
【００４５】
そして、釣針本体取付部４２ａのフトコロ部１２ｂとは反対側（２本の軸部１２ａの束４４の背４４ａ側）に線材３０を沿わせ（図示省略）、釣針本体取付部４２ａと線材３０との一体物の周囲に糸２０を密に巻回して本巻を行い、ハリス挿通部４２ｂを形成する。
【００４６】
本巻が完了すると、線材３０と軸部１２ａの束４４との間に糸２０を通して尻掛を行い、仮止めする。なお、糸２０は、軸部１２ａと軸部１２ａとの間に通すようにしてもよい。
【００４７】
そして、図７に示すようにフトコロ部１２ｂ，１２ｂの間を開き（本実施例ではフトコロ部１２ｂ，１２ｂの成す角θが略９０度となるように調整される）、ハリス挿通部１４ｂの表面に接着剤を塗布して接着剤をハリス係止部４２全体に浸み込ませると同時に、釣針本体取付部４２ａ、ハリス挿通部４２ｂならびに線材３０の間の隙間（図７円内の斜線で示した箇所）を接着剤で充填する。
【００４８】
そして、第１実施例と同様、ハリス係止部４２全体に浸み込ませた接着剤を硬化させた後、線材３０をハリス挿通部４２ｂから引き抜くことにより２本鈎の鮎友釣用掛針４０が完成する。
【００４９】
なお、線材３０を引き抜いた後の釣針本体取付部４２ａとハリス挿通部４２ｂとの一体物がハリス係止部４２となる。ハリス係止部４２は、その全体が接着剤によって一体化されている。また、線材３０が位置していた部分は空洞（孔）となり、この孔がハリス挿通用孔４２ｃとして機能することとなる。さらに、釣針本体取付部４２ａの背４２ｄ側であってハリス挿通部４２ｂとの境界部分Ｘ’には、釣針本体取付部４２ａ、ハリス挿通部４２ｂならびに線材３０の間の隙間に充填された接着剤が固化することによって出来た固着部４６が形成されている。本実施例の鮎友釣用掛針４０においても第１実施例と同様の作用効果を得ることができる。
【符号の説明】
【００５０】
１０，１０’，４０：鮎友釣用掛針、１２：釣針本体、１２ａ：軸部、１２ｂ：フトコロ部、１２ｃ:鈎先、１２ｄ：チモト、１２ｅ：（軸部の）背、１４，１４’，４２：ハリス係止部、１４ａ，４２ａ：釣針本体取付部、１４ｂ，１４ｂ’，４２ｂ：ハリス挿通部、１４ｃ，４２ｃ：ハリス挿通用孔、１４ｄ，４２ｄ：（釣針本体取付部の）背、１６，４６：固着部，２０：糸、３０：線材、４４：２本の軸部の束、４４ａ：（２本の軸部の束の）背、Ｈ：ハリス、Ｐ：結び目、Ｘ，Ｘ’：釣針本体取付部の背側であってハリス挿通部との境界部分、θ：フトコロ部間の角度
【図１】
2017189118.tif 000003
【図２】
2017189118.tif 000004
【図３】
2017189118.tif 000005
【図４】
2017189118.tif 000006
【図５】
2017189118.tif 000007
【図６】
2017189118.tif 000008
【図７】
2017189118.tif 000009